(57)【要約】【課題】簡単な構成で、飲料水等が入った耐熱型のペットボトル、缶、哺乳瓶、又は袋に入ったタオルなどを容易に暖めることが出来る、携帯用簡易加熱器を提供する。【解決手段】折りたたみ自在で上部開口が開閉自在な直方体形状のカートン１、透水性の袋に入れた加水型発熱剤２、及び塩水以外の水３を入れた水袋から成る携帯用簡易加熱器Ａを設け、上記カートン１を扁平な支持物の上に立てて、当該カートン１の上部開口を開けて中に上記加水型発熱剤２を入れ、同様にして、哺乳瓶４を当該カートン１内に入れ、上記水袋を破って当該カートン１内に水３を入れて上記加水型発熱剤２を発熱させて上記哺乳瓶４を加熱する構成とした。【選択図】図１
0003116128.tif 000002
【実用新案登録請求の範囲】
【請求項１】
折りたたみ自在で上部開口が開閉自在な直方体形状のカートン、透水性の袋に入れた加水型発熱剤、及び塩水以外の水を入れた水袋から成る携帯用簡易加熱器を設け、
上記カートンを扁平な支持物の上に立てて、当該カートンの上部開口を開けて中に上記加水型発熱剤を入れ、同様にして、被加熱物を当該カートン内に入れ、上記水袋を破って当該カートン内に水を入れて上記加水型発熱剤を発熱させて上記被加熱物を加熱する構成としたことを特徴とする、携帯用簡易加熱器。
【請求項２】
上記カートンは、針葉樹パルプから成り、少なくとも内面又は外面の何れかにポリエチレンフィルムのラミネート加工を施したことを特徴とする、上記請求項１に記載の携帯用簡易過熱器。
【請求項３】
上記加水型発熱剤は、粉体生石灰と粉体アルミニウムを混合して成り、発熱時には９０度〜１００度を２０分間維持する温度制御及び時間制御されたものであることを特徴とする、上記請求項１又は２の何れかに記載の携帯用簡易加熱器。
【考案の詳細な説明】
【技術分野】
【０００１】
この考案は、災害時に、また、屋外において、乳幼児のミルク用、湯茶用などの飲料水、また、蒸しタオルを作る時のタオル等を適宜の温度に温められ、また、簡単に持ち運びが出来る、携帯用簡易加熱器に関するものである。
【背景技術】
【０００２】
従来、地震などの災害時には、被害の少ない時には影響は無いが、被害の大きい時には、電気、ガス、及び水道などが供給停止され、通常出来る生活が出来なくなる。また、一度破壊されたライフラインは、復旧までに多大な時間がかかる。この様な中、災害地では、ガス漏れの恐れがあり、裸火の使用は厳重に禁止される場合も有る。
【０００３】
この様な災害時であっても、乳幼児のミルクを作る湯を沸かすことは必要であり、また、この様に時に、特に冬場に、被害に遭われた方たちに暖かい湯茶や蒸しタオルを提供してあげることは、心身共に癒され、喜ばれることとなる。
【０００４】
一方、弁当や日本酒等の液状食品を加熱調理容器に封入し、この加熱調理容器に組み込まれた加熱装置である発熱剤によって、上記弁当や日本酒等を暖めるというものがある。これらの発熱剤としては、化学物質の発熱反応、例えば、酸化物に対する水の添加反応を利用するものなどが使用されている。
【特許文献１】特開２００３−３４２５５８号公報
【考案の開示】
【考案が解決しようとする課題】
【０００５】
しかしながら、これは、発熱剤に関する発明であって、この発熱剤を使用して弁当や日本酒等を温める際、加熱調理容器又はそれに代わるものを別途用意する必要がある。平常時なら、これらのものを用意することは容易であるが、災害時には、容易とは思われず、例え、用意出来たとしても時間が掛かるものと推測される。
【０００６】
そんな中、多くの人が、日常的に、飲料水等が入った３５０ｍｌ又は５００ｍｌの縦長の耐熱型のペットボトルをスーパーやコンビニで頻繁に購入し使用している。これらのペットボトルは、頑強であって、少々のことでは壊れず、また、開閉自在なキャップが付いているので、飲料水等の持ち運びや保存には最適なものである。
【０００７】
よって、この様な耐熱型のペットボトル等を簡単に暖めることが出来る携帯用の簡易加熱器があれば、災害時、大いに利用価値のあるものとなる。
【０００８】
そこで、この考案は、簡単な構成で、飲料水等が入った耐熱型のペットボトル、缶、哺乳瓶、又は袋に入ったタオルなどを容易に暖めることが出来る、携帯用簡易加熱器を提供して上記課題を解決するものである。
【課題を解決するための手段】
【０００９】
請求項１の考案は、折りたたみ自在で上部開口が開閉自在な直方体形状のカートン、透水性の袋に入れた加水型発熱剤、及び塩水以外の水を入れた水袋から成る携帯用簡易加熱器を設け、上記カートンを扁平な支持物の上に立てて、当該カートンの上部開口を開けて中に上記加水型発熱剤を入れ、同様にして、被加熱物を当該カートン内に入れ、上記水袋を破って当該カートン内に水を入れて上記加水型発熱剤を発熱させて上記被加熱物を加熱する構成とした携帯用簡易加熱器とした。
【００１０】
請求項２の考案は、上記カートンは、針葉樹パルプから成り、少なくとも内面又は外面の何れかにポリエチレンフィルムのラミネート加工を施した上記請求項１に記載の携帯用簡易過熱器とした。また、請求項３の考案は、上記加水型発熱剤は、粉体生石灰と粉体アルミニウムを混合して成り、発熱時には９０度〜１００度を２０分間維持する温度制御及び時間制御されたものである上記請求項１又は２の何れかに記載の携帯用簡易加熱器とした。
【考案の効果】
【００１１】
請求項１の考案によれば、折りたたみ自在なカートン、加水型発熱剤及び水袋をワンセットとし、折りたたんだ状態のカートンの上に加水型発熱剤と水袋を夫々並べてのせればコンパクトな携帯用簡易加熱器となるので、嵩張らず、場所もとらず、軽量、安価で簡単な構成の携帯用簡易加熱器を容易に得ることが出来る。これにより、広く、多くの人々の手に渡りやすい携帯用簡易加熱器を提供することが出来る。
【００１２】
その結果、屋外において、また、災害時に、容易に耐熱型のペットボトル等を安全に暖めることが出来る。また、火を使用しないので、火気厳禁の場所でも安心して使用することが出来る。さらに、使用後は、何等有害なものは発生しないので、処分が容易で環境にも優しい。
【００１３】
また、直方体形状のカートンを用いて、この中に加水型発熱剤を入れて発熱させているため、手で触っても、直接、熱源に触れるわけではないので、火傷をすることもなく、また、カートン自体も倒れにくいので、安全である。さらに、保管や運搬の際、直方体形状のカートンは扁平に折りたためるので、嵩張らず、便利である。
【００１４】
請求項２の考案によれば、上記カートンは、針葉樹パルプから成り、パルプ繊維が太くて長く、また、当該カートンの少なくとも内面又は外面の何れかにポリエチレンフィルムのラミネート加工を施したので、水漏れの無い、倒れ難い、堅牢な器を作成することが出来る。よって、携帯用加熱器として、より信頼性の高いものを得ることが出来る。
【００１５】
また、請求項３の考案によれば、上記加水型発熱剤は、発熱時には９０度〜１００度を２０分間維持する温度制御及び時間制御されたものであるので、被加熱物を、通常、人が飲む湯茶等の温度に速やか、かつ確実に加熱することが出来、便利である。
【考案を実施するための最良の形態】
【００１６】
折りたたみ自在で上部開口が開閉自在な直方体形状のカートン、透水性の袋に入れた加水型発熱剤、及び塩水以外の水を入れた水袋から成る携帯用簡易加熱器を設け、上記カートンを扁平な支持物の上に立てて、当該カートンの上部開口を開けて中に上記加水型発熱剤を入れ、同様にして、被加熱物を当該カートン内に入れ、上記水袋を破って当該カートン内に水を入れて上記加水型発熱剤を発熱させて上記被加熱物を加熱する構成とした。
【実施例１】
【００１７】
以下、この考案の実施例を図に基づいて説明する。
この実施例の携帯用簡易加熱器Ａは、図２に示すように、直方体形状のカートン（ここでは、「厚紙製の紙箱」を言う）１、扁平な袋２ａに入れた加水型発熱剤２、及び水３を入れた水袋３ａの３つの部材から構成される。
【００１８】
直方体形状のカートン１は、針葉樹パルプから成り、素地の表裏面にポリエチレンフィルムのラミネート加工を施したものから成る。針葉樹パルプを使用するのは、パルプ繊維が太くて長いので堅牢な容器の作成が可能だからである。このカートン１は、折りたたみ組立て自在で、通常は、図３に示すように、扁平に折りたたまれた状態になっている。  
【００１９】
このカートン１の一方の開口縁であって、このカートン１を組み立てた際、底面を形成する部分は、工場にて、シールしておく。このシールの方法は、熱風ヒータにてポリエチレン層を炙り、その後プレス機での圧着と同時に冷却して行われる。この方法は、いわゆる「牛乳パック」の底面形成の際のシールの方法と同様であるが、このカートン１は、図３に示すように、さらに、運搬や保管時に、このカートン１を扁平に折りたたむ際の折り目を予めプレス機で付けておく。
【００２０】
また、このカートン１の他方の開口縁であって、このカートン１を組み立てた際、上面を形成する部分には、上記と同様に、扁平に折りたたむ際の折り目を予め入れておき、この開口縁の相対向する一方の折り込み片同士を、相対向する他方の折り込み片の各端縁の真ん中を境に折り込み、これらの折り込み片が当接した状態でこのカートンを閉じるように形成している（図１参照）。
【００２１】
この方法も、いわゆる「牛乳パック」の上部の形成の仕方と同様であるが、「牛乳パック」の場合は、工場にて機械により折り込み圧着されるのに対し、この実施例のカートン１では、圧着されてはおらず、開口したままの状態である。
【００２２】
続いて、扁平な袋２ａに入れた加水型発熱剤２を説明する。この加水型発熱剤２は、粉体生石灰（Ｃａｏ）と粉体アルミニウム（Ａｌ）を総重量当り１〜２：１〜２の範囲で混合して形成される。ここでは、株式会社協同製の発熱剤を使用する（特開２００３−３４２５５８号公報参照）。この発熱剤は、約９０度〜１００度の温度を少なくとも２０分間維持出来るように温度制御及び時間制御されている。また、これらの粉体生石灰（Ｃａｏ）と粉体アルミニウム（Ａｌ）を入れる袋２ａは、透水性のものを使用している。
【００２３】
さらに、水３を入れた水袋３ａについては、上記加水型発熱剤２の中の粉体生石灰と反応させることにより、発熱してアルミン酸カルシウムを生成するものである。ここでは、株式会社菅原冷蔵社製の水袋の水を触媒水として使用するが、この水は、塩水以外ならば、水道水の他、池水、川水、雨水などなんでも良い。使用する水量としては、発熱剤の重量の３倍量以下で良いが、２倍量相当が適量である。
【００２４】
次に、この携帯用簡易加熱器Ａの使用の仕方を説明する。まず、扁平に折りたたまれたカートン１、扁平な袋２ａに入れた加水型発熱剤２、及び水３を入れた水袋３ａをワンセットにしたものを用意する。
【００２５】
そして、このセットの中から、カートン１を取り出し、このカートン１を扁平に折りたたまれた状態から直方体形状に組み立てて、底面を作成した後、図１に示すように、平坦な場所に立てる。その後、このカートン１の上部開口から上記加水型発熱剤２を中に入れてカートン１の底面に載置し、同様にして、当該加水型発熱剤２の上に加熱対象物である哺乳瓶４を乳首を模した蓋部分を外した状態で立てる。そして、上記水袋３ａを破ってこのカートン１内に水３をいれ、上記加水型発熱剤２を発熱させて哺乳瓶４を加熱する。この時、このカートン１の上部開口をクリップ５等で挟んで閉じておく。
【００２６】
カートン１内に入れられた水３により、加水型発熱剤２中の粉体生石灰と水３が反応して第１発熱反応が起こり、アルミン酸カルシウムを生成し、この生成されたアルミン酸カルシウムと加水型発熱剤２中の粉体アルミニウムが反応して第２発熱反応が起こり、加水型発熱剤２は発熱し、カートン１内は水蒸気で満たされ、この水蒸気と共に、上記哺乳瓶４は加熱される。
【００２７】
この哺乳瓶４は、３５０ｍｌの容量で、５〜６分で６５度〜７２度にすることが出来た。また、この時、カートン１の底面から上方５ｃｍ程度と、閉じられた上部開口部から下方５ｃｍ程度付近は、高温（約９８度）の蒸気が噴出して高温となるので触れないようにする。さらに、このカートン１だけなら、４〜５回加熱器として使用できる。
【００２８】
使用後の携帯用加熱器Ａは、カートン１がパルプ製であるため、燃料として活用しても良いし、資源回収のリサイクルラインとして再利用することも出来る。また、使用後の加水型発熱剤２は、粉体アルミニウムと消石灰の化合生成物であるので、土壌の改良剤として活用することが可能であり、酸性土壌をアルカリ性土壌にかえることが確認されている。さらに、この加水型発熱剤２は、発熱時は無臭であり、炭化水素ガスを少量発生させるが人体には無害である。
【００２９】
この携帯用加熱器Ａを使用すれば、裸火の使用が禁止される都会型の災害緊急時や、緊急に少量のものの加熱を行いたい場合に使用できる。例えば、授乳用ミルクの加熱、湯茶用水の加熱、その他の飲料の加熱、また、レトルト食品（例えば、スープ、カレーのルー、シチュー等々）の加熱、さらに、濡れタオルを耐熱の袋に入れて加熱して蒸しタオルの作成、また、同様に耐熱の袋に、例えば、冷や飯と水を入れてお粥を作ったり、具を暖めるだけの簡単な調理なども行うことが出来る。さらに、哺乳瓶、箸、ナイフ、フォーク、スプーンなどをこの中に入れて加熱することにより、殺菌することも出来る。さらに、他の多くの目的に使用出来る。
【００３０】
上記実施例においては、加熱対象物（被加熱物）として哺乳瓶４を加熱しているが、もちろん、哺乳瓶４に代えて、瓶、缶、袋など耐熱性の容器等に入れたものであれば何でも加熱することができる。また、加水型発熱剤２により制御した温度を約９０度〜１００度としているが、制御する温度は、これに限らず、所望の温度にすればよい。よって、ペットボトルの加熱に際して、加水型発熱剤２により制御した温度が高いと判断された場合は、これらの温度をもっと低い温度に設定すればよい。
【００３１】
さらに、加水型発熱剤２として、粉体生石灰と粉体アルミニウムから成る株式会社協同製の加水型発熱剤を使用しているが、加水型発熱剤としては、これに限定されるものではなく、加水型の発熱剤であれば何でも良い。また、水３を入れた水袋３ａとして、株式会社菅原冷蔵社製の水袋の水を触媒水として使用しているが、水３を入れた水袋３ａは、これに限定するものではなく、本願の効果を奏するものであればよい。
【００３２】
また、哺乳瓶4を加熱する際に、カートン１の上部開口をクリップ５で挟んで閉じているが、他のもので閉じても良く、さらに、加水型発熱剤２による熱エネルギーをあまり必要としない場合、カートン１の上部開口は必ずしも閉じる必要は無い。さらに、加水型発熱剤２をカートン１の底面に、扁平な袋２ａに入れた加水型発熱剤２を載置し、その上に哺乳瓶４を立てて加熱しているが、加水型発熱剤２を入れる袋は、扁平なものに限定するものではなく、立体的なものでも良く、また、カートン１の中に配置するのも底面に限定するものではなく、例えばカートン１の下部側面などに配置しても良い。
【図面の簡単な説明】
【００３３】
【図１】この考案の実施例の携帯用加熱器で哺乳瓶を加熱している状態の一部断面図である。
【図２】この考案の実施例の携帯用加熱器を構成する、組み立てたカートン、加水型発熱剤及び水を入れた水袋を示す斜視図である。
【図３】この考案の実施例の携帯用加熱器を構成するカートンを予め設けられた折り目により、扁平に折りたたんだ状態の斜視図である。
【符号の説明】
【００３４】
Ａ    携帯用簡易加熱器
１    カートン                              ２    加水型発熱剤
２ａ  透水性の袋                            ３    水
３ａ  水を入れた袋                          ４    哺乳瓶
【図１】
0003116128.tif 000003
【図２】
0003116128.tif 000004
【図３】
0003116128.tif 000005
【手続補正書】
【提出日】平成17年8月30日(2005.8.30)
【手続補正１】
【補正対象書類名】図面
【補正対象項目名】全図
【補正方法】変更
【補正の内容】
【図１】
0003116128.tif 000006
【図２】
0003116128.tif 000007
【図３】
0003116128.tif 000008